(57)【要約】      （修正有）【課題】ＬＥＤランプホルダーを提供する。【解決手段】収容空間に設けるクレードル１０と、クレードルの収容空間に設けられ、少なくとも一つの電気回路板４１と、少なくとも一つのＬＥＤランプ４２と、一つのリード線４３と、を有する基板４０と、基板上に固定する固定ラック５０と、固定ラックに取り付けられ、ＬＥＤランプより出射する光線を屈折と反射することによって、ＬＥＤランプホルダー全体の輝度を向上する、少なくとも一つの透光シート６０と、を備える。【選択図】図３
0003175727.tif 000002
【実用新案登録請求の範囲】
【請求項１】
ＬＥＤランプホルダーであって、
収容空間を有し、クレードルと、
前記クレードルの前記収容空間に設けられ、少なくとも一つの電気回路板と、少なくとも一つのＬＥＤランプと、一つのリード線と、を有し、前記電気回路板と、前記ＬＥＤランプと、前記リード線が取り付けられ、前記電気回路板によって、前記ＬＥＤランプが制御され、前記電気回路板は前記リード線に電気接続され、前記リード線より電源を提供する、基板と、
前記基板に取り付ける、固定ラックと、
前記固定ラックに設けられ、前記ＬＥＤランプが出射する光線を屈折と反射することによって、ＬＥＤランプホルダー全体の輝度を向上する、少なくとも一つの透光シートと、を備えるてなるＬＥＤランプホルダー。
【請求項２】
第１放熱具を有し、前記第１放熱具は第１底部と、複数の第１放熱フィンと、複数の第２放熱フィンと、をさらに有し、前記第１放熱フィンと、前記第２放熱フィンは前記第１底部の周縁部より曲げられ、前記第１放熱フィンと前記第２放熱フィンは交差して排列することを特徴とする、請求項１記載のＬＥＤランプホルダー。
【請求項３】
第２放熱具をさらに有し、前記第２放熱具は前記第１放熱具の内部に位置し、前記第２放熱具は第２底部と、複数の第３放熱フィンと、複数の第４放熱フィンと、を有する、前記第３放熱フィンと前記第４放熱フィンは前記第２底部の周縁部より曲げられ、前記第３放熱フィンと、前記第４放熱フィンは交差して排列することを特徴とする、請求項２記載のＬＥＤランプホルダー。
【請求項４】
さらに拡散器を有し、前記拡散器は前記クレードルに締めつけられ、前記拡散器の一端は開放端であり、前記拡散器の他端は閉鎖端である、前記拡散器の前記開放端は前記クレードルに向かわれ、前記拡散器の閉鎖端は前記ベースの遠端に位置することを特徴とする、請求項１記載のＬＥＤランプホルダー。
【請求項５】
前記透光シートは両凸レンズであることを特徴とする、請求項１ないし４のいずれか記載のＬＥＤランプホルダー。
【請求項６】
前記ＬＥＤランプは４つを設けられ、４つの前記ＬＥＤランプは均等に前記基板の４つの隅部に配置され、前記基板は第１象限と、第２象限と、第３象限と、第４象限に分けられ、前記第１象限と、前記第２象限と、前記第３象限と、前記第４象限はそれぞれ一つのＬＥＤランプを設けられており、
前記透光シートは２つ設けられ、前記透光シートの中間部は溝を縦設され、２つの前記透光シートは前記溝と交差して挿入することによって、２つの前記透光シートはＸ字形に組み合わせられ、第１表面と、第２表面と、第３表面と、第４表面と、第５表面と、第６表面と、第７表面と、第８表面と、を有し、
前記第１表面と前記第２表面は９０度の挟み角を形成して対向され、前記第１表面と前記第２表面は前記第１象限に向けられ、前記第３表面と前記第４表面は９０度の挟み角を形成して対向され、前記第３表面と前記第４表面は前記第２象限に向けられ、前記第５表面と前記第６表面は９０度の挟み角を形成して対向され、前記第５表面と前記第６表面は前記第３象限に向けられ、前記第７表面と前記第８表面は９０度の挟み角を形成して対向され、前記第７表面と前記第８表面は前記第４象限に向けられており、
前記第１表面と前記第８表面は反対の両面に位置し、前記第２表面と前記第３表面は反対の両面に位置し、前記第４表面と前記第５表面は反対の両面に位置し、前記第６表面と前記第７表面は反対の両面に位置し、
前記第１表面と前記第２表面は、前記第１象限に位置するＬＥＤランプの光線の屈折と反射を提供し、
前記第３表面と前記第４表面は、前記第２象限に位置するＬＥＤランプの光線の屈折と反射を提供し、
前記第５表面と前記第６表面は、前記第３象限に位置するＬＥＤランプの光線の屈折と反射を提供し、
前記第７表面と前記第８表面は、前記第４象限に位置するＬＥＤランプの光線の屈折と反射を提供する、
ることを特徴とする、請求項１ないし４のいずれか記載のＬＥＤランプホルダー。
【請求項７】
前記透光シートは複数のブロックを有し、前記ＬＥＤランプが形成する光線を前記透光シートの前記ブロックに屈折し、前記ＬＥＤランプが形成する光線を前記透光シートの前記ブロックに反射することを特徴とする、請求項１ないし４のいずれか記載のＬＥＤランプホルダー。
【請求項８】
前記固定ラックはベースと、少なくとも２つの固定シートと、一つのリングと、を有し、前記ベースは少なくとも一つの挿入溝を設けられ、前記透光シートは前記挿入溝に挿入され、前記固定シートは前記透光シートを挟み込み、前記固定シートが前記ベースの遠端にテーパーを形成され、前記リングを前記固定シートの前記テーパーに嵌着することによって、前記透光シートが前記ベースと前記リングとの間に位置することを特徴とする、請求項３記載のＬＥＤランプホルダー。
【請求項９】
前記第１底部は一つの第１貫通穴と、複数の第１固定穴と、複数の第１通し穴と、を設けられ、前記第２底部は第２貫通穴と、複数の第２固定穴と、前記基板上は複数の第２通し穴と、複数の第３通し穴と、を設けられ、前記基板は複数の第１固定具を設けられ、前記第１固定具は前記第２通し穴と前記第１通し穴を穿設して、前記第２固定穴に締めつけることによって、前記基板と前記第１放熱具を前記第２放熱具に固定される、
前記ベースはＸ字形を形成し、一つの中心部と、４つの端部とが設けられ、前記中心部は前記４つの端部と前記挿入溝の中心部に位置し、前記端部は前記中心部の遠端に位置し、前記挿入溝は互いに連絡され、前記端部は第４通し穴が設けられ、前記ベースは複数の第２固定具により、前記第２固定具は前記第４通し穴と、前記第３通し穴穿を設することによって、前記第１固定穴に固定し、前記第２固定具と前記基板を一体に固定することを特徴とする、請求項８記載のＬＥＤランプホルダー。
【請求項１０】
前記拡散器の一端は開放端であり、前記拡散器の他端は閉鎖端であって、前記開放端は雄ねじ山部を設けられており、
前記クレードルは口金と、雌ねじ山部と、複数の逃げ溝と、を有し、前記導電ねじ部はＥ形口金であり、あらかじめに設けている電球のソケット内部に螺設することができ、前記導電ねじ部と前記雌ねじ山部は、それぞれ前記クレードルの両端部に設けられ、前記雌ねじ山部と前記拡散器の雄ねじ山部が一体に螺合されており、
前記クレードルの前記導電ねじ部と前記雌ねじ山部との間に前記収容空間が形成され、前記収容空間は複数の中心部と一つの当接縁部と、が設けられ、前記中空部１４１は前記クレードルに繞設され、前記中空部は前記導電ねじ部と前記当接縁部との間に位置し、前記当接縁部は中空部と前記雌ねじ山部との間に位置することによって、前記中空部は前記クレードルの前記収容空間内部の前記基板により良い集光効果を提供することができることを特徴とする、請求項４記載のＬＥＤランプホルダー。
【考案の詳細な説明】
【技術分野】
【０００１】
本考案はＬＥＤランプホルダーに関し、特により良い輝度を有するＬＥＤランプホルダーに関する。
【背景技術】
【０００２】
ＬＥＤランプは低電圧、低電流、省電力、省エネーと非常に長い寿命の長所を有するため、使用者はＬＥＤランプのデビューに大きな期待を持っている。
【先行技術文献】
【特許文献】
【０００３】
【特許文献１】中華民国特許証書第Ｍ４１９０５４号
【考案の概要】
【考案が解決しようとする課題】
【０００４】
しかし、ＬＥＤランプの輝度は従来の電灯に比べ、やや劣っていることと、入力した電気ネルギーのほとんどが熱エネルギーに変換されるため、発光効率が低く、ＬＥＤランプ使用の普及が難しい現状である。そのため、ＬＥＤランプホルダーによって、ＬＥＤランプの輝度を増やすことは、ＬＥＤランプ業者が追求する目標である。
【０００５】
中華民国特許証書第Ｍ４１９０５４号（特許文献１）高効率の反射式省エネー灯具において、光源と、反射灯パネルと、前記反射灯パネルに取り付けて固定するブラケットと、を備え、前記反射灯パネルの真向かいの前記ブラケットに前記反射灯パネルに対応して反射鏡を設けられ、前記光源は前記反射灯パネルと前記反射鏡との間に設けられている。この種の反射式省エネー灯具は、反射灯パネルの真向かいに反射灯パネルに対応して反射鏡を設けることによって、反射鏡と反射灯パネルとの間に設ける光源が反射鏡と反射灯パネルとの間で複数回の反射が得られ、照度の増強および光照射範囲の拡大を達成した照明発光の効果が得られる。
【０００６】
しかし、前述とおり、ＬＥＤ灯の先端部に反射鏡と、ＬＥＤ灯の後部端に反射灯パネルを設ける設計は、光反射によって照度の増強および光照射範囲の拡大を図るもので、提供できる照度は限られており、使用者の需要を満足できないため、改良の必要がある。
【０００７】
よって、本考案は少なくとも、従来技術が遭遇する問題を解決または軽減することを図る。
【課題を解決するための手段】
【０００８】
本考案は公知技術に存在する欠点の解決を図るため、ＬＥＤランプホルダーを提供し、公知技術の欠点を解決するものである。
【０００９】
本考案の主な改良手段として、ＬＥＤランプホルダーは２つ透光シートを設け、透光シートによって、ＬＥＤランプが出射する光線を屈折と反射を提供し、ＬＥＤランプホルダー全体の輝度を向上させる。
【００１０】
本考案の次の改良手段として、ＬＥＤランプホルダーの透光シートは両凸レンズであり、集光効果を有し、ＬＥＤランプが出射する光線を透光シートに屈折と反射させ、ＬＥＤランプホルダー全体の輝度を一層向上できる。
【００１１】
本考案第３の技術改良手段として、ＬＥＤランプホルダーに備える２つの透光シートはＸ字形に組み合わせられ、透光シートの第１表面と、第２表面と、第３表面と、第４表面と、第５表面と、第６表面と、第７表面と、第８表面がＬＥＤランプの光線を受け入れ、屈折または反射によって、屈折面積と反射面積をさらに増やして、光線の屈折の量と反射の量を増やせて、輝度をさらに向上することができる。
【００１２】
本考案第４の技術改良手段として、ＬＥＤランプホルダーの透光シートは複数のブロックを有し、ＬＥＤランプホルダーが形成する光線は透光シートのブロックを通過して、各ブロックは単独にＬＥＤランプの光線を受け入れて屈折または反射を形成し、屈折面積と反射面積をさらに増やして、光線の屈折の量と反射の量を増やせて、輝度をさらに向上することができる。
【００１３】
考案第５の技術改良手段として、ＬＥＤランプホルダーの中空部と、第１放熱フィンと、第２放熱フィンと、第３放熱フィンと、第４放熱フィンを合わせて、ＬＥＤランプに放熱を提供する。
【００１４】
その他目的、長所ならびに本考案の新規性は以下の詳細説明と関連図面を参照することにより、より明確にすることができる。
【考案の効果】
【００１５】
以下の説明内容から、本考案は以下の長所をまとめることができる。
【００１６】
１．本考案のＬＥＤランプホルダーは２つ透光シートを設けられ、透光シートによって、ＬＥＤランプが出射する光線を屈折と反射を提供し、ＬＥＤランプホルダー全体の輝度を向上させる。
【００１７】
２．本考案のＬＥＤランプホルダーの透光シートは両凸レンズであり、集光効果を有し、ＬＥＤランプが出射する光線を透光シートに屈折と反射させ、ＬＥＤランプホルダー全体の輝度を一層向上させる。
【００１８】
３．本考案のＬＥＤランプホルダーに備える２つの透光シートはＸ字形に組み合わせられ、透光シートの第１表面と、第２表面と、第３表面と、第４表面と、第５表面と、第６表面と、第７表面と、第８表面がＬＥＤランプの光線を受け入れ、屈折または反射によって、屈折面積と反射面積をさらに増やして、光線の屈折の量と反射の量を増やせて、輝度をさらに向上させることができる。
【００１９】
４．本考案のＬＥＤランプホルダーの透光シートは複数のブロックを有し、ＬＥＤランプホルダーが形成する光線は透光シートのブロックを通過して、各ブロックは単独にＬＥＤランプの光線を受け入れて屈折または反射を形成し、屈折面積と反射面積をさらに増やして、光線の屈折の量と反射の量を増やせて、輝度をさらに向上させることができる。
【００２０】
５．考案第のＬＥＤランプホルダーの中空部と、第１放熱フィンと、第２放熱フィンと、第３放熱フィンと、第４放熱フィンを合わせて、ＬＥＤランプに放熱を効率化する効果がある。
【００２１】
以上に説明したものは、本考案の好ましい実施例であり、本考案実施の範疇に制限を加えるものではなく、本考案による数値的な変更又は同等効果を有する要素の置き換え、若しくは本考案の特許請求の範囲による均等変化又は修整とも本考案の特許範疇に含まれる。
【図面の簡単な説明】
【００２２】
【図１】本考案のＬＥＤランプホルダーの立体外観図である。
【図２】本考案のＬＥＤランプホルダーの拡散板がクレードルを離したときを示す態様図である。
【図３】本考案のＬＥＤランプホルダーの立体分解図である。
【図４】本考案のＬＥＤランプホルダーの固定シートによって、透光シートを挟み込む断面図である。
【図５】本考案のＬＥＤランプホルダー内部の断面図である。
【図６】本考案のＬＥＤランプホルダーの光線が屈折する立体外観図である。
【図７】本考案のＬＥＤランプホルダーの光線が屈折する断面図である。
【考案を実施するための形態】
【００２３】
本考案による技術、手段ならびに効果は、好ましい実施例と図式を合わせて、以下の通り説明する。ただし、これらは説明を目的とし、本考案の請求範囲はこれらの構造に制限されない。
【実施例】
【００２４】
図１ないし３、本考案のＬＥＤランプホルダーの立体外観図と立体分解図を参照する。本考案のＬＥＤランプホルダーは、クレードル１０と、第１放熱具２０と、第２放熱具３０と、基板４０と、固定ラック５０と、少なくとも一つの透光シート６０と、一つの拡散器７０と、を備える。
【００２５】
第１放熱具２０と、第２放熱具３０と、基板４０と、固定ラック５０と、透光シート６０はクレードル１０に内設され、拡散器７０の一端は開放端７１であり、拡散器７０の他端は閉鎖端７２である。開放端１は雄ねじ山部７３を設けられ、拡散器７０は締めつけ方式によってクレードル１０に結合され、拡散器７０の開放端７１はクレードル１０向きに取り付けられ、拡散器７０の閉鎖端７２はクレードル１０の遠端に位置する。
【００２６】
図４と図５、本発明のＬＥＤランプホルダーの断面図を合わせて参照する。クレードル１０は導電ねじ部１１と、雌ねじ山部１２と、複数の逃げ溝１３と、一つの収容空間１４と、を有する。導電ねじ部１１はＥ形口金であり、あらかじめに設けていた電球のソケットに締めつけることができる。導電ねじ部１１と雌ねじ山部１２はそれぞれクレードル１０の両端部に設けられ、雌ねじ山部１２と拡散器７０の雄ねじ山部７３と互いに螺合する。
【００２７】
クレードル１０の導電ねじ部１１と雌ねじ山部１２との間に収容空間１４が形成され、収容空間１４は複数の中空部１４１と一つの当接縁部１４２が設けられ、中空部１４１はクレードル１０に繞設され、中空部１４１は導電ねじ部１１と当接縁部１４２との間に位置し、当接縁部１４２は中空部１４１と雌ねじ山部１２との間に位置することによって、中空部１４１はクレードル１０の収容空間１４内部の基板４０により良い集光効果を提供することができる。
【００２８】
第１放熱具２０は第１底部２１と、複数の第１放熱フィン２２と、複数の第２放熱フィン２３と、を有する。第１放熱フィン２２と第２放熱フィン２３とも第１底部２１の周縁部より曲げられ、かつ第１放熱フィン２２と第２放熱フィン２３は交差して排列されている。第１底部２１は一つの貫通穴２１１と、複数の固定穴２１２と、複数の第１通し穴２１３と、を有する。
【００２９】
第２放熱具３０は第１放熱フィン２０の内部に設けられ、第２放熱具３０は第２放熱フィン２３によって覆われている。第２放熱具３０は第２底部３１と、複数の第３放熱フィン３２と、複数の第４放熱フィン３３と、を有する。第３放熱フィン３２と第４放熱フィン３３とも第２底部３１の周縁部より曲げられ、かつ第３放熱フィン３２と第４放熱フィン３３は交差して排列されている。第２底部３１は第２貫通穴３１１と、複数の第２固定穴３１２と、を有する。
【００３０】
基板４０は、クレードル１０の収容空間１４に設けられ、基板４０の外周縁には複数のつば４０１が設けられ、つば４０１が逃げ溝１３を通過して、当接縁部１４２に当設することによって、基板４０を収容空間１４の内部に固定させる。基板４０上は複数の第２通し穴４０２と複数の第３通し穴４０３が設けられ、基板４０は複数の第１固定具４０４を有し、第１固定具４０４は第２通し穴４０２と第１通し穴２１３に貫通して、第２固定穴３１２に締めつけられ、基板４０と第１放熱具２０を第２放熱具３０に固定させる。
【００３１】
基板４０上は少なくとも一つの電気回路板４１と、少なくとも一つのＬＥＤランプ４２と、一つのリード線４３と、が設けられている。電気回路板４１とＬＥＤランプ４２は基板４０の一表面に設けられ、リード線４３は基板４０もう一つの表面に設けられている。ＬＥＤランプ４２は電気回路板４１によって制御され、電気回路板４１はリード線４３と電気接続され、リード線４３は導電ねじ部１１に電気接続され、電源を提供する。ＬＥＤランプ４２は例えば４つを設け、４つのＬＥＤランプ４２を均等に基板４０の４角隅部に配置され、基板４０は第１象限Iと、第２象限IIと、第３象限IIIと第４象限IVを設けられ、第１象限Iと、第２象限IIと、第３象限IIIと第４象限IVは、それぞれ一つのＬＥＤランプ４２を設けられている。本実施例において、合計１２のＬＥＤランプ４２を設けられている。第１象限Iと、第２象限IIと、第３象限IIIと第４象限IVは、それぞれ３つのＬＥＤランプ４２を設けられ、ＬＥＤランプ４２を均等に基板４０に配置することによって、ＬＥＤランプホルダーの輝度を均等化できる。
【００３２】
基板４０は当接縁部１４２に当設され、拡散器７０の雄ねじ山部７３をクレードル１０の雌ねじ山部１２に締めつけていて、かつ拡散器７０の開放端７１の端部を基板４０に当接し基板４０はぐらつかない。中空部１４１と、第１放熱フィン２２と、第２放熱フィン２３と、第３放熱フィン３２と、第４放熱フィン３３によって、ＬＥＤランプ４２に放熱効果が提供される。
【００３３】
固定ラック５０は基板４０に固定され、固定ラック５０は一つのベース５１と、少なくとも２つの固定シート５２と、一つのリング５３と、を有する。ベース５１はＸ字形を形成し、一つの中心部５１１と、４つの端部５１２と、少なくとも一つの挿入溝５１３と、を有する。中心部５１１は、４つの端部５１２の中心と、４つの挿入溝５１３との中心位置にあり、端部５１２は中心部５１１の遠端に位置する。挿入溝５１３は互いに接続されている。
【００３４】
端部５１２は一つの第４通し穴５１４を設けられ、ベース５１は複数の第２固定具５１５を設けられ、第２固定具５１５は第４通し穴５１４と、第３通し穴４０３に貫通して、第１固定穴２１２に固定することによって、固定具５０と基板４０とを一体に固定させる。
【００３５】
本実施例において、４つの固定シート５２が設けられ、固定シート５２は中心部５１１に接続されていて、かつ固定シート５２は隣接する２つの挿入溝５１３の間に位置する。固定シート５２はベース５１に対して、折り曲げることができ、固定シート５２はベース５１の遠端にテーパー５２１を設けられ、リング５３は４つの固定シート５２のテーパー５２１に嵌着することによって、固定シート５２を固定し、固定シート５２が起立状を形成する。
【００３６】
本実施例において、２つの透光シート６０を設けられ、透光シート６０は固定ラック５０に設けられ、ＬＥＤランプ４２が出射する光線を屈折と反射することによって、ＬＥＤランプホルダー全体の輝度を向上させる。
【００３７】
透光シート６０は両凸レンズであり、集光効果を有しており、ＬＥＤランプ４２より出射する光線を透光シート６０に屈折と反射させ、ＬＥＤランプホルダー全体の輝度を向上させる。
【００３８】
透光シート６０の中間部は溝を縦設され、２つの透光シート６０は前記溝と交差して挿入することによって、２つの前記透光シート６０はＸ字形に組み合わせられ、第１表面とＡ、第２表面Ｂと、第３表面Ｃと、第４表面Ｄと、第５表面Ｅと、第６表面Ｆと、第７表面Ｇと、第８表面Ｈと、を有する。第１表面Ａと第２表面Ｂは９０度の挟み角を形成して対向され、第１表面Ａと第２表面Ｂは第１象限Iに向かわれ、第３表面Ｃと前記第４表面Ｄは９０度の挟み角を形成して対向され、第３表面Ｃと第４表面Ｄは第２象限IIに向けられ、第５表面Ｅと第６表面Ｆは９０度の挟み角を形成して対向され、第５表面Ｅと第６表面Ｆは第３象限IIIに向けられ、第７表面Ｇと第８表面Ｈは９０度の挟み角を形成して対向し、第７表面Ｇと第８表面Ｈは第４象限IVに向けられている。
【００３９】
第１表面Ａと第８表面Ｈは反対の両面に位置し、第２表面Ｂと第３表面Ｃは反対の両面に位置し、第４表面Ｄと第５表面Ｅは反対の両面に位置し、第６表面Ｆと第７表面Ｇは反対の両面に位置する。
【００４０】
第１表面Ａと第２表面Ｂは、第１象限Iに位置するＬＥＤランプ４２の光線の屈折と反射を提供する。
【００４１】
第３表面Ｃと第４表面Ｄは、第２象限IIに位置するＬＥＤランプ４２の光線の屈折と反射を提供する。
【００４２】
第５表面Ｅと第６表面Ｆは、第３象限IIIに位置するＬＥＤ４２ランプの光線の屈折と反射を提供する。
【００４３】
第７表面Ｇと第８表面Ｈは、第４象限IVに位置するＬＥＤランプ４２の光線の屈折と反射を提供する。
【００４４】
第１表面とＡ、第２表面Ｂと、第３表面Ｃと、第４表面Ｄと、第５表面Ｅと、第６表面Ｆと、第７表面Ｇと、第８表面Ｈによって、ＬＥＤランプ４２の光線を受け入れて、屈折または反射を形成して、屈折面積と反射面積をさらに増加させ、光線の屈折量と反射量を増加し、輝度をさらに増大させることができる。
【００４５】
透光シート６０は、複数のブロック６２を有する。ＬＥＤランプ４２が出射する光線を透光シート６０のブロック６２が屈折させ、ＬＥＤランプ４２が出射する光線を透光シート６０のブロック６２に反射する。透光シート６０は集光効果を有しており、透光シート６０を通過して光線がより良い輝度を形成し、透光シート６０に反射された光線により良い輝度を形成することができる。
【００４６】
各ブロック６２は単独にＬＥＤランプ４２の光線を受け入れて、屈折または反射を形成し、屈折面積と反射面積さらに増大させ、光線の屈折量と反射量を増加して、輝度をさらに増やすことができる。
【００４７】
透光シート６０は挿入溝５１３に挿入され、４つの固定シート５２によって、２つの透光シート６０を挟み込む。リング５３は固定シート５２のテーパー５２１に嵌着することによって、透光シート６０をベース５１とリング５３との間に位置せしめ、２つの透光シート６０はかってに固定シート５２より抜け出せない。透光シート６０は主に４つの固定シート５２によって、リング５３と合わせて、固定の効果を達成する。ＬＥＤランプ４２は透光シート６０向きに取り付けられ、ＬＥＤランプホルダーの発光を半球形の立体柱状を形成する。
【００４８】
透光シート６０は例えば一つを設け、固定シート５２は例えば２つを設ける。透光シート６０を２つの固定シート５２の間に設けられ、透光シート６０はベース５１とリング５３との間に設けられる。
【００４９】
図６と図７、本考案のＬＥＤランプホルダーの立体外観図と、断面図を参照する。ＬＥＤランプ４２より出射する光線は透光シート６０を通過して屈折を形成し、また、ＬＥＤランプ４２より出射する光線は透光シート６０を通過して反射を形成する。屈折された光線は両凸レンズの透光シート６０を通過することによって集光効果を有し、ＬＥＤランプホルダーで形成される光線がより良い集光効果を有する。反射された光線は両凸レンズの透光シート６０を通過することによって集光効果を有し、ＬＥＤランプホルダーで形成される光線がより良い集光効果を有する。
【符号の説明】
【００５０】
１０      クレードル
１１      導電ねじ部
１２      雌ねじ山部
１３      逃げ溝
１４      収容空間
１４１    中空部
１４２    当接縁部
２０      第１放熱具
２１      第１底部
２１１    第１貫通穴
２１２    第１固定穴
２１３    第１通し穴
２２      第１放熱フィン
２３      第２放熱フィン
３０      第２放熱具
３１      第２底部
３１１    第２貫通穴
３１２    第２固定穴
３２      第３放熱フィン
３３      第４放熱フィン
４０      基板
４０１    つば
４０２    第２通し穴
４０３    第３通し穴
４０４    第１固定具
４１      電気回路板
４２      ＬＥＤランプ
４３      リード線
５０      固定ラック
５１      ベース
５１１    中心部
５１２    端部
５１３    挿入溝
５１４    第４通し穴
５１５    第２固定具
５２      固定シート
５２１    テーパー
５３      リング
６０      透光シート
６１      溝
６２      ブロック
７０      拡散器
７１      開放端
７２      閉鎖端
７３      雄ねじ山部
I        第１象限
ＩＩ        第２象限
ＩＩＩ      第３象限
ＩＶ        第４象限
Ａ        第１表面
Ｂ        第２表面
Ｃ        第３表面
Ｄ        第４表面
Ｅ        第５表面
Ｆ        第６表面
Ｇ        第７表面
Ｈ        第８表面
【図１】
0003175727.tif 000003
【図２】
0003175727.tif 000004
【図３】
0003175727.tif 000005
【図４】
0003175727.tif 000006
【図５】
0003175727.tif 000007
【図６】
0003175727.tif 000008
【図７】
0003175727.tif 000009